(57)【要約】【課題】開口部が比較的に小径で深さのある水筒、水差、花瓶等のように直接手を入れて洗浄することが困難である筒状容器内面の開口部付近から、洗浄し難い容器内底部の隅部等に付着した汚れに対して直接的に力を伝達することが出来てなお、摺擦反動による不安定感や脱落事故および疲労感を解消し、力むこと無く、確実に洗浄することができる押圧式洗浄具を得るにある。【解決手段】弾性力を持ち適当な長さを有した柄の両端に摺擦部を配設して、該柄を二つ折に曲折して交差させ、反転した一対の該摺擦部を開いて容器内面を押圧しながら摺擦することで押圧式洗浄具を構成している。【選択図】図１
2005021847.tif 000002
【特許請求の範囲】
【請求項１】
弾性力を持ち適当な長さを有した柄の両端に摺擦部を配設して、該柄を二つ折に曲折して交差させ、反転した一対の該摺擦部を開いて容器内面を押圧しながら摺擦することを特徴とする押圧式洗浄具。
【請求項２】
請求項１に於ける柄の途中の間にすっぽ抜け防止部を突設した把持部を連結することを特徴とする押圧式洗浄具。
【請求項３】
請求項１と請求項２に於ける柄同士の交差する交差部に自在支持具を環装す
ることを特徴とする押圧式洗浄具。
【発明の詳細な説明】
【０００１】
【発明の属する技術分野】
本発明は、開口部が比較的に小径で深さのある水筒、水差、花瓶等のように直接手を入れての洗浄が困難である筒状容器内面の開口部付近から、容器内底部の隅部等に付着した汚れを確実に洗浄することが出来る押圧式洗浄具に関する。
【０００２】
【従来の技術】
従来には、洗浄具が提案されている。（例えば特許文献１参照）。
また、カバー付洗浄用ブラシが提案されている。（例えば特許文献２参照）。
【０００３】
【特許文献１】
特開２００１−２８６４３１号公報
【特許文献２】
特開２００２−１７７０５０号公報
【０００４】
【発明が解決しようとする課題】
縦来の洗浄具による開口部が比較的に小径で深さのある筒状容器内面の洗浄作業は、部分的に酷い汚れや糊状の汚れ等の除去や容器内の洗浄具による損傷などの防止に効果的としているが、いずれも柄の端側に摺擦部を設けてその反対側を把持部として洗浄具を構成しており、前記洗浄具の把持部を片手で把持してもう一方の手に支えた容器内に摺擦部を挿入し、摺擦部の回動や出し入れによる往復動で容器内面を洗浄している。しかしながら長い柄の先端に取り付けられた摺擦部への力の伝達は思うに任せず、特に汚れの酷い個所に於いては、汚れ部分を擦り取るために手にした柄に力を込めて摺擦部を押し付ける様に強く動かすこととなり、それに反発する力は容器を把持した手に摺擦反動として伝わることから、不安定感を伴うな作業であった。まして、把持した容器の外面に付着している水や洗浄液等で滑り易くなっている場合などには、手元からの容器の脱落防止に摺擦反動とのバランスを取ろうとして、把持した容器の手や指先に知らず知らずのうちに力が入る、いわゆる力みが生じ、手元より滑り落とす脱落事故や手元下にある食器類の落下破損事故等の確率が高まり、油断のならない作業であった。また、疲労感が伴う作業でもあった。そして、容器内部の底面と壁際が作る隅部に付着した汚れの除去洗浄に関しても、長い柄の先端に取り付けられた摺擦部への力の伝達が思うに任せず、もどかしい作業であった。
【０００５】
本発明は以上のような従来の欠点に鑑み、開口部が比較的に小径で深さのある水筒、水差、花瓶等のように直接手を入れて洗浄することが困難である筒状容器内面の開口部付近から、洗浄し難い容器内底部の隅部等に付着した汚れに対して直接的に力を伝達することが出来てなお、摺擦反動による不安定感や脱落事故および疲労感を解消し、力むこと無く、確実に洗浄することができる押圧式洗浄具を提供することを目的としている。
【０００６】
【課題を解決するための手段】
上記目的を達成するために、本発明は、弾性力を持ち適当な長さを有した柄の両端に摺擦部を配設して、該柄を二つ折に曲折して交差させ、反転した一対の該摺擦部を開いて容器内面を押圧しながら摺擦する構造で押圧式洗浄具を構成している。
【０００７】
【発明の実施の形態】
以下、図面に示す実施の形態により、本発明を詳細に説明する。
【０００８】
図１ないし図７に示す本発明の第１の実施形態において、１は柄である、この柄１は弾性力を持ち長めで適度の太さを持った針金状の物を使用しているが、材質や形状サイズには特に拘らずに弾性力を持った適当な長さとしており、例えば材質は金属製品や合成樹脂製品等があり、形状サイズにおいては二つ折りにして容器を洗浄するに足る長さとしている。１ｃは曲折部であり、曲折部１ｃは柄１を二つ折にする分岐部であり、その位置は該柄１の中央部としているが、特に拘りは無く、例えば図１７に示すように中央部よりずらした位置に曲折部１ｃを設定してもよい。１ａ，１ｂは柄１の両端部であり、柄端１ａ、柄端１ｂとしており摺擦部材２を取設する個所である。２は摺擦部材であり、摺擦部材２は弾性を持ったスポンジ状の製品を使用しているものの、容器の損傷を起こさず、復元性を持ち、容器開口部７ａを強制的な出し入れに追従するような材質である、とするならば特に拘るものでは無く、例えばブラシ状の物でも良い。形状に関しても、やや厚めで正方形のスポンジシートを二つ折に形成して使用しているが、特に拘るものでは無い。２ａは摺擦部材２の形成後に於ける長手の摺擦部側面であり、摺擦部側面２ａは柄１の把持部４の把握により摺擦部材２に伝わった押圧力で筒状容器７の内壁面７ｃに当接し、該内壁面７ｃの壁面形状に密着変形しながら摺擦する摺擦面である。２ｂは摺擦部材２の形成後に於ける端面で摺擦部底面であり、摺擦部底面２ｂは主に筒状容器７の底面部に密着変形しながら摺擦する摺擦面である。２ｃは摺擦部材２を二つ折にする中央部である。２ｄは摺擦部材２の形成後に於ける摺擦部底面２ｂと摺擦部側面２ａが作る摺擦部角であり、摺擦部角２ｄは筒状容器７の底隅部７ｄに密着変形しながら摺擦する摺擦部である。３は挟着具であり、挟着具３は摺擦部材２を柄１に配設する為の補助的部材で、例えば、金属材や合成樹脂材などの汎用品を使用している。形状はＵ字溝状のものとし、該Ｕ字溝の開口サイズは摺擦部材２越しに柄端１ａ，１ｂを挟着するに足るものとしている。また挟着具３の長手方向サイズは摺擦部材２の二つ折にした長手方向のサイズに対して４分の３程度としているものの、要は柄１の先端部露出による容器内面損傷の防止と、筒状容器７の底隅部７ｄを押圧摺擦洗浄する目的に足る程度の厚みを残したサイズであれば良い。４は把持部であり、把持部４は曲折部１ｃと柄１同士の交差部５の適当な区間としている。５は柄１同士の交差部であり、交差部５の位置は柄１が持つ弾性力に抗して把持部４を握る力の加減により、両柄端１ａ、１ｂに取り付けた摺擦部材２の根元付近と把持部４の区間を摺接して移動する。７は筒状容器であり、筒状容器７を透明で開口部７ａが比較的小径で深さのあるガラス製の筒状容器として説明しているが、これは一例にすぎず、材質において金属製や陶器製あるいは合成樹脂製等のような容器でも本発明の作用効果に変わりは無く、又ついでながら、コップの様な形状容器でも同様に作用効果が得られる。７ａは筒状容器の開口部であり、７ｂは筒状容器の開口部外縁であり、７ｃは筒状容器の内壁面であり、７ｄは筒状容器の底隅部である。
【０００９】
以上の各部、各部材の説明に続き本発明の第１の実施形態の構成について説明すると、図５、図６に示すように摺擦部材２に於いて二つ折状に形成する中央部２ｃあたりの長手４分の３程度で柄端１ａ及び柄端１ｂを包み込むように挟んで挟着具３のＵ字溝内部に嵌入して挟扼して該摺擦部材２を柄端１ａ及び柄端１ｂに固着している。
【００１０】
以上に構成された、両端に摺擦部材２を配設した柄１の曲折部１ｃを、図４の図面上に示す矢印方向に、摺擦部側面２ａ同士が対向するように二つ折りに曲折して該柄１同士を、図１ないし図３に示すように、斜めに交差させて交差部５とし、反転する一対の該摺擦部材２同士を背中合わせに成形して押圧式洗浄具を構成している。このときの該柄１の形状は、図１ないし図３に示すように摺擦部材２を配設した柄端１ａ及び柄端１ｂの根元付近より該曲折部１ｃの区間において、把持部４を含めて適度の湾曲を持って交差部５で斜交するのが好ましい。
【００１１】
以上の構造で構成された本発明の押圧式洗浄具の使用法を、図７を持って説明すると、片手に筒状容器７を持ち、もう一方の手で成形された柄１にある把持部４を該曲折部１ｃ付近の持つ弾性力に抗して軽く握りながら摺擦部材２を開口部７ａより強制的に筒状容器７内部に挿入する。挿入後さらに該曲折部１ｃ付近の持つ弾性力に抗して加える把持部４への握力は、交差部５を以って反転し、背中合わせに配置された一対の摺擦部材２を開くように作用して伝わる。そして、該摺擦部材２は図７の筒状容器７内部に示す矢印方向に互いに開きながら、肘張するように内壁面７ｃにほぼ垂直方向に当接する。この時点での交差部５の位置は、該摺擦部材２の根元付近より把持部４の手前辺りまで摺接しながら、開口部７ａ付近に留まる様に移動している。当接後さらに、該曲折部１ｃと柄１の持つ弾性力に抗して把持部４に握力を加える事により、一対に構成されている弾性力を持った柄１の撓みと弾力性を有した摺擦部材２の変形歪を持って、摺擦部側面２ａが内壁面７ｃに対し肘張するように垂直方向に密着押圧する。この内壁面７ｃに発生する密着押圧感を柄１を通じて把持部４の手に感じ取り、これに反応しながら摺擦部材２へ伝達する力加減を調節することが出来る。そして、摺擦部材２へ伝達する力加減を調節しながら、図７に示す矢印方向に、把持部４の回動や出し入れによる往復動をさせることにより適度の押圧を持って洗浄することができる。
以上の事から本発明の押圧式洗浄具は、汚れに対して損失の少ない直接的な力の伝達ができる。そのうえ、伝えられた力は一対に構成された摺擦部材２によって内壁面７ｃを肘張した状態で筒状容器７を支持しすることができ、尚且つ、内壁面７ｃで相殺される構造であることから、直接的な押圧摺擦洗浄が可能となると共に、摺擦反動を極端に解消することができる。従がって力むこと無く、不安定感も解消され、確実に思い通りに洗浄することができる。
【００１２】
次に、筒状容器７の底隅部７ｄの洗浄についても、背中合わせに配置された摺擦部材２に於ける摺擦部角２ｄを該底隅部７ｄに当接するまで筒状容器７内部に挿入する。さらに、汚れ具合を見計らい、摺擦部材２の持つ弾力性と柄１の持つ弾性力に抗して、底隅部７ｄに押し付ける力と把持部４への握力を、調節しながら該摺擦部材２に押圧力を伝達する。そして、図７の筒状容器７外部に示す矢印方向に把持部４を回動させることにより、該底隅部７ｄを該摺擦部角２ｄが摺動する。
以上のように、適切に調整された力を把持部４に加えることにより、摺擦部底面２ｂと摺擦部側面２ａが作る摺擦部角２ｄが底隅部７ｄの汚れに対して直接的に押圧摺擦して容易に確実に洗浄することができる．
【００１３】
【発明の異なる実施の形態】
次に、図８ないし図１０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１４】
図８ないし図１０に示す本発明の第２の実施の形態において、前記本発明の第１の実施の形態と主に異なる点は、柄１の途中の間にすっぽ抜け防止部４４ａを突設した弾性部材１１を連結して把持部分４４として柄部を構成した点である。１１は弾性力を持った弾性部材であり、弾性部材１１は適度の厚さと幅と長さを有した平板状の合成樹脂、又は鋼製品等を使用しており、幅辺を湾曲状に成形して出来る凸面側を表面の把持部分４４とし、対する裏面の凹面側は摺擦部材２を配設した柄１の他端側１ｄの連結面としている。４４ａはすっぽ抜け防止部であり前記弾性部材１１に於ける両端部のそれぞれを、指を宛がうにたる適当な分だけ凸面側に曲折加工してすっぽ抜け防止部４４ａを形成している。図面上では前記すっぽ抜け防止部４４ａの曲折形状はほぼ直角状を成しているが、図１８に示すように、指の丸みに合わせた湾曲形状としてもよい。次に、該弾性部材１１に有る凹面側の両端部に該他端側１ｄをそれぞれ溶着連結して本発明の第２の実施の形態に於ける柄部を構成している。図８にある凹面部が互いに内向する様に該弾性部材１１の中央分岐部１１ｃをＵ字状に曲折し、該柄１を、図９に示すように、斜めに交差させて交差部５とし、反転する一対の該摺擦部材２同士を背中合わせに成形して押圧式洗浄具を構成している。なお、本発明の柄部の形状を複数本にしての実施や、あるいは一方の柄部の長手方向に沿って中央部に貫通溝を設けて実施することもできる。例えば図１８に示す様に摺擦部材２を配設している柄の一方の柄部を二重構造の柄部１ｗとし、二重になった柄部１ｗの間にもう一方の柄１を挟む様な形で交差している。この柄部１ｗは交差部５で柄１を摺接できる程度の隙間を持って二重構造としている。弾性部材１１との連結に関しては、もう一方の柄１を弾性部材１１に溶着連結した後に該弾性部材１１をＵ字状に曲折成形し、その後に該柄１を柄部１ｗの二重になった間に挟みながら該弾性部材１１に溶着連結して押圧式洗浄具を構成している。
【００１５】
上記構成の第２の実施の形態の使用時についての説明は、把持部分４４の途中に設けたすっぽ抜け防止部４４ａに、親指部及び人差し指部等を宛がいながら、又は銃の引き金状態に人差し指を添えながら、把持部分４４の回動や往復動が可能であることから、把持部の滑りやすっぽ抜けに抗する力を省くことができる。そして、図１８に示す実施例では、柄部１ｗで柄１を挟んで交差しており、本発明の第１の実施の形態での単一柄１の場合に見られるような、重ねられる側方向への回転時に起こる柄１同士の離反現象を解消することができる。以上その他の説明は第１の実施の形態と同じであるので省略する。
【００１６】
次に、図１１ないし図１６に示す本発明の第３の実施の形態において、前記本発明の第１の実施の形態や第２の実施の形態と主に異なる点は、摺擦部材２を配設した柄１同士の交差部５に自在支持具６を環装した点である。図１４、図１５に示す６は自在支持具であり、自在支持具６は円筒形状の芯部を刳り貫いた、いわゆるドーナツ形状を成しており、このドーナツ形の外縁の左右対称位置に突起部６ａを一体化に配設している。なお、材質は合成樹脂製や木材製等としている。６ｂは突起部６ａの下端面であり、下端面６ｂは開口部外縁７ｂに当接する面である。６ｃは刳貫き孔であり、刳貫き孔６ｃは該柄１同士が交差する交差部５の位置の変化に追従しながら移動して該交差部５を常に環装支持する貫通孔である。また、刳貫き孔６ｃの径は貫装させている交差部５の位置の変化に追従して滑らかに自在に移動できる程度の径としており、刳貫き孔６ｃの形状においては図１５に示すように、刳貫き孔６ｃ出入口表面部の径を大とし刳貫き孔６ｃ中央部の径を小とした中細りの形状が好ましい。
【００１７】
上記構成の自在支持具６を第１の実施の形態に於ける交差部５に環装した本発明の第３の実施の形態において、交差部５の位置の変化に追従して摺接する自在支持具６の通常時に於ける定位置、即ち摺擦洗浄作業前の状態は、図１１ないし図１３に示す、弾性力を持った柄１の反発力により背中合わせに閉じた状態にある摺擦部２の根元付近としている。今、把持部４を把持し、その端側に一対に構成された摺擦部２をもう一方の手で握持した筒状容器７の開口部７ａより内部へと強制的に挿入すると、柄１同士の交差部５を環装している該自在支持具６に一体化に配設された突起部材６ａの下端面６ｂが開口部７ａの開口部外縁７ｂに当接してその場に留まり、該自在支持具６も開口部外縁７ｂ付近に留まる。そして猶も摺擦部材２を筒状容器７内部へと送り込むと、前記開口外縁７ｂ付近に留まる自在支持具６の刳貫き孔６ｃ内を交差しながら貫装している該柄１同士が摺接しながら筒状容器７内部奥へと進入する。進入するにつれて、一対に構成された摺擦部材２は図１６の筒状容器７内部矢印方向に開きながら内壁面７ｃに当接し、さらに、摺擦部側面２ａを以って押圧する。すなわち、該自在支持具６によって、本発明の第３の実施の形態における柄部を筒状容器７内部に送り込むだけで一対に構成された摺擦部材２同士は自動的に互いに開き、内壁面７ｃに当接して押圧することができる。また、該自在支持具６は交差部５を環装支持することによって、重ねられる側方向への回転時に起こる柄１同士の離反現象を防止することができる。
以上の事から、本発明の第３の実施の形態での該摺擦部材２は、把持した柄部の回動及び出し入れによる往復動だけで、内壁面７ｃを自動的に押圧摺擦することができる。なお本発明の第２の実施の形態に於ける交差部５に自在支持具６を環装しても前記同様の作用効果がえられる。
【００１８】
【発明の効果】
以上の説明から明らかなように、本発明にあっては次に列挙する効果が得られる。
【００１９】
（１）弾性力を持ち適当な長さを有した柄の両端に摺擦部を配設して、該柄を二つ折に曲折して交差させ、反転した一対の該摺擦部を開いて容器内面を押圧しながら摺擦する構造で構成されているので、被洗浄容器内壁面の汚れ具合により、把持部での力加減を調節しながら直接的に摺擦部へ力を伝達することができ、長い柄にあっても先端に配設された摺擦部に伝へる力の損失を極端に抑えることができる。従がって、効率的で疲労感の少ない、従来にない押圧による摺擦洗浄ができる。
【００２０】
（２）前記（１）に於ける実施の形態によって、柄の形状は適度の湾曲を持って交差した構造であるので、摺擦部材間の開き幅を大きくとることができる。従がって、開口部が比較的に小径で、深さがあり、内部が比較的に広い容器を、従来にない直接的な押圧による摺擦洗浄が容易に確実にできる。
【００２１】
（３）前記（１）によって、柄同士の最小幅である交差点部を常に被洗浄容器の開口付近に位置しながら、一対の摺擦部を幅広く開くことができる。従がって、従来柄の長さが障害となっていた、容器の底部隅部から開口部付近での洗浄し難くさも解消されてスムーズに確実に直接的な押圧による摺擦洗浄作業ができる。
【００２２】
（４）前記（１）によって、摺擦部を深め容器内の全面隅々まで摺擦移動することができる。従がって、容器内全面の汚れ具合を確認しながら、思いのまま、容易く確実に直接的な押圧による摺擦洗浄することがきる。
【００２３】
（５）前記（１）によって、把持部より摺擦部に伝わる力は被洗浄容器内部で相殺されるので、被洗浄容器を持つ手に発生する摺擦反動を極端に解消することができる。従がって、洗浄作業中の力みは不要となり、従来の不安定感や脱落事故および疲労感が解消できる。
【００２４】
（６）前記（１）によって、摺擦部に伝わる力は被洗浄容器内部で開きながら肘張した状態で被洗浄容器を支えることができる。従がって、容器を持つ手に加わる負担が大幅に軽減され、不安定感も解消されてバランスを崩しての脱落事故や破損事故を未然に防ぐことができる。
【００２５】
（７）前記（１）によって、構造が簡単であるので、容易に実施することができる。
【００２６】
（８）前記（１）によって、使い方も簡単で、誰もが容易に便利に使用でき、さらに使用後の収納にも便利であり、大変重宝である。
【００２７】
（９）前記（１）に於ける他の実施例図１７によって、中央部よりずらした位置に曲折部１ｃを設定する事で摺擦部材同士がずれて配置されることから、一度の動作で広範囲の洗浄ができる。従がって、効率よく洗浄作業ができる。
【００２８】
（１０）請求項２も前記（１）〜（８）と同様な効果が得られるとともに、柄の途中の間にすっぽ抜け防止部を突設した把持部を連結する構造で構成されていることから、把持部が握り易く、滑りに抗する力が不要となる。従がって安全に便利で握る手に疲労感の少ない洗浄作業ができる。
【００２９】
（１１）請求項２に於ける他の実施例図１８も前記（１）〜（８）及び（１０）と同様な効果が得られるとともに、二重になった柄部の間にもう一方の柄を挟む様な形で交差する構造で構成されていることから、重ねられる側方向への回転時に起こる柄同士の離反現象を解消することが出来る。従がって、把持部に於ける、離反現象に抗する力が不要に成り洗浄作業がより楽になる。
【００３０】
（１２）請求項３も前記（１）〜（８）と同様な効果が得られるとともに、柄同士の交差する交差部に自在支持具を環装する構造で構成されていることから、把持した柄部の回動及び出し入れによる往復動だけで、容器内壁面を自動的に押圧摺擦することができる。従がって、握り込む労力が不要となり疲労感が大幅に削減され、便利で効率的な押圧による摺擦洗浄作業ができる。
【００３１】
（１３）前記（１２）によって、重ねられる側方向への回転時に起こる柄同士の離反現象を防止することができる。従がって、把持部に於ける、離反現象に抗する力が不要に成り洗浄作業がより楽になる。
【図面の簡単な説明】
【図１】本発明の第１の実施の形態の斜視図。
【図２】本発明の第１の実施の形態の正面図。
【図３】本発明の第１の実施の形態の側面図。
【図４】本発明の第１の実施の形態の説明正面図。
【図５】本発明の第１の実施の形態の部分組立説明斜視図。
【図６】本発明の第１の実施の形態の部分斜視図。
【図７】本発明の第１の実施の形態の使用説明斜視図。
【図８】本発明の第２の実施の形態の部分説明斜視図。
【図９】本発明の第２の実施の形態の正面図。
【図１０】本発明の第２の実施の形態の側面図。
【図１１】本発明の第３の実施の形態の正面図。
【図１２】本発明の第３の実施の形態の側面図。
【図１３】本発明の第３の実施の形態の斜視図。
【図１４】本発明の第３の実施の形態の部品正面図。
【図１５】本発明の第３の実施の形態の部品側面図。
【図１６】本発明の第３の実施の形態の説明斜視図。
【図１７】本発明の第１の実施の形態の説明斜視図。
【図１８】本発明の第２の実施の形態の説明斜視図。
【符号の説明】
１、１ａ、１ｂ、１ｃ、１ｄ、１ｗ：柄、、
２、２ａ、２ｂ、２ｃ、２ｄ：摺擦部材、
３：挟着具、
４：把持部、
５：交差部
６、６ａ、６ｂ、６ｃ：自在支持具、
７、７ａ、７ｂ、７ｃ、７ｄ：筒状容器、
１１、１１ｃ：弾性部材、
４４、４４ａ：把持部分、
【図１】
2005021847.tif 000003
【図２】
2005021847.tif 000004
【図３】
2005021847.tif 000005
【図４】
2005021847.tif 000006
【図５】
2005021847.tif 000007
【図６】
2005021847.tif 000008
【図７】
2005021847.tif 000009
【図８】
2005021847.tif 000010
【図９】
2005021847.tif 000011
【図１０】
2005021847.tif 000012
【図１１】
2005021847.tif 000013
【図１２】
2005021847.tif 000014
【図１３】
2005021847.tif 000015
【図１４】
2005021847.tif 000016
【図１５】
2005021847.tif 000017
【図１６】
2005021847.tif 000018
【図１７】
2005021847.tif 000019
【図１８】
2005021847.tif 000020